(57)【要約】【課題】簡単かつ正確にカードの印刷表面を透明フィルムで覆うことができるようにすること。【解決手段】表面に印刷を施したカード２と、裏面に粘着剤が塗着され、その上に二分割した離型紙４ａ、４ｂを貼り付けたカード２と同形同サイズの透明フィルム３と、カード２および透明フィルム３と同形同サイズの凹部を有するトレイ状の治具１とを備え、離型紙４ａを剥がした透明フィルム３を露出した粘着剤を上面にして治具１に嵌入固定し、その上にカード２の印刷表面を下にして前記治具１の凹部に嵌入して、カード２と透明フィルム３を貼り付け、その後、そのカードを取り出し、残りの離型紙４ｂを剥がしてカード２の印刷表面全域に透明フィルムを密着して貼り付ける。【選択図】  図２
2008246886.tif 000002
【特許請求の範囲】
【請求項１】
表面に印刷を施したカードと、裏面に粘着剤が塗着され、その上に二分割した離型紙を貼り付けた前記カードと同サイズの透明フィルムと、前記カードおよび透明フィルムと同サイズの凹部を有するトレイ状の治具とを備え、前記透明フィルムの分割した一方の離型紙を剥がし、露出した粘着剤を上面にして前記治具に前記透明フィルムを嵌入固定し、その上に前記カードの印刷表面を下にして前記治具の凹部に嵌入して、前記カードの印刷表面に前記透明フィルムを露出した粘着剤で貼り付け、その後、前記カードを前記治具の凹部から取り出し、前記透明フィルムの分割した他方の離型紙を剥がして前記カードの印刷表面全域に前記透明フィルムを貼り付けてなることを特徴とするカードの印刷表面加工方法。
【請求項２】
トレイ状の治具の凹部底面に、凹部に嵌入したカードを押し出す丸穴を形成してなることを特徴とする請求項１に記載のカードの印刷表面加工方法に使用する治具。
【発明の詳細な説明】
【技術分野】
【０００１】
本発明は、カードの印刷表面を透明フィルムで保護する方法及びその方法に使用する治具に関するものである。
【背景技術】
【０００２】
例えばラベルなどにおいて、印刷した表面を保護するために、印刷表面全域に透明フィルムを貼り付けて、その印刷表面を保護する場合がある。この場合の一つ方法として、台紙にラベルを貼り付け、また、このラベルと同サイズとした透明フィルムを別の台紙に仮着し、両台紙を、ラベルの上面に透明フィルムが重なるように位置決めして重ね、その後、透明フィルムを仮着した台紙を取り除いて、ラベルの上面に透明フィルムを貼り付ける方法が知られている。
【特許文献１】特開平１１−２１２４６５号公報
【０００３】
しかし、この方法では、ラベルと透明フィルムの位置合わせが難しく、ラベルと透明フィルムの位置ずれが発生すると、ラベルの上面全域を透明フィルムで保護することができなくなる。これを避けるために透明フィルムをラベルのサイズよりも多少大きいサイズとすればよいが、このときには、後にラベルからはみ出す部分の透明フィルムを切断しなければならず、手間がかかるといった問題があった。
【発明の開示】
【発明が解決しようとする課題】
【０００４】
本発明が解決しようとする課題は、簡単かつ正確にカードの印刷表面を透明フィルムで覆うことができるようにし、斯かる問題を解消する点にある。
【課題を解決するための手段】
【０００５】
本発明は、表面に印刷を施したカードと、裏面に粘着剤が塗着され、その上に二分割した離型紙を貼り付けた前記カードと同サイズの透明フィルムと、前記カードおよび透明フィルムと同サイズの凹部を有するトレイ状の治具とを備え、前記透明フィルムの分割した一方の離型紙を剥がし、露出した粘着剤を上面にして前記治具に前記透明フィルムを嵌入固定し、その上に前記カードの印刷表面を下にして前記治具の凹部に嵌入して、前記カードの印刷表面に前記透明フィルムを露出した粘着剤で貼り付け、その後、前記カードを前記治具の凹部から取り出し、前記透明フィルムの分割した他方の離型紙を剥がして前記カードの印刷表面全域に前記透明フィルムを貼り付けてなることを特徴とする。
【発明の効果】
【０００６】
本発明では、カードの印刷表面に、裏面に粘着剤が塗着されたカードと同サイズの透明フィルムを貼り付けるに際し、カードおよび透明フィルムと同サイズの凹部を有するトレイ状の治具を使用して、この治具でカードと透明フィルムとを位置合わせて一部貼り付け固定するので、カードと透明フィルムとを正確に合わせることが、簡単にできる。その後、カードを治具の凹部から取り出し、残りの離型紙を剥がしてカードの表面全域に透明フィルムを、空気が印刷表面にかみ込むのを防ぎながら、貼り付けるので、印刷表面を透明フィルムで保護したカードを誰でも簡単かつ綺麗に仕上げることができる。
【発明を実施するための最良の形態】
【０００７】
簡単かつ正確にカードの印刷表面を透明フィルムで覆うことができるようにする目的を、カードに裏面に粘着剤が塗着され、その上を離型紙で覆ったカードと同サイズの透明フィルムを貼り付けるに際し、カードと同サイズの凹部を有するトレイ状の治具を使用し、この治具でカードと透明フィルムとの位置を合わせることにより実現した。
【実施例】
【０００８】
以下、本発明の実施例について、図を参照して説明する。図１は本発明の実施例に係る治具の構成を示す平面図（ａ）とＡ−Ａ断面図（ｂ）、図２は使用状態を説明する説明図、図３はカードの断面図である。治具１は図１に示すように、平面視長方形をなし、外周縁に突出部１ａを形成したトレイ状に構成され、底面の中央部に貫通する丸孔１ｂが形成されており、凸部で囲まれる凹状の内面は、図２に示すカード２がほぼ隙間なく嵌合するサイズとされている。
【０００９】
本実施例におけるカードは、図３に拡大して示すように、厚み略５００μｍのＰＥＴ（ポリエチレンテフタレート）シート２ａの両面に厚み略１３μｍの粘着剤層２ｂが形成され、その粘着剤層２ｂの上に厚み略５０μｍのＰＥＴフィルム２ｃが張り付けられ、ＰＥＴフィルムの上に厚み略５０μｍのインク受容層２ｄが形成された硬質シートで、長辺略８．６ｃｍ、短辺略５．４ｃｍの長方形を成しており、片側面のインク受容層２ｄに印刷が施されているものとする。
【００１０】
この印刷されたカードの印刷表面を透明フィルムで保護するとき、このカードと同サイズの、裏面に粘着剤が塗着され、その上を二つに分割した離型紙で覆った透明フィルムを用意する。そして、図２に示すように、一方の離型紙４ａを剥して粘着剤層を露出し、露出した粘着剤層を上にして治具１の凹状内に透明フィルム３を嵌め込む。嵌め込んだ透明フィルム３の上に印刷表面を下にしてカード２を治具１の凹状内に嵌め込む。この嵌め込みによりカード２と透明フィルム３は、正確に重ねられ、露出した粘着剤で貼り付けられる。
【００１１】
その後、治具１の丸孔１ｂに指を差し込み透明フィルム３を貼り合わせたカード２を押し出し、残りの離型紙４ｂを剥離し、スキージで印刷表面への空気のかみ込みを防ぎながら密着させて貼り付けを完了する。なお、カードの両面を印刷した場合には、同様の手順を繰り返してその両面に透明フィルム３を貼り付ける。
【００１２】
以上の実施例は、長方形のカードで、長方形の凹状の嵌め込み部を有する治具であるが、カードの形状や治具の凹状の嵌め込み部の形状は任意であり、治具の凹状の嵌め込み部はカードがほぼ隙間なく嵌め込まれるものであればよい。
【図面の簡単な説明】
【００１３】
【図１】本発明の実施例に係る治具の構成を示す平面図（ａ）と断面図（ｂ）である。
【図２】図１に示す治具の使用を説明する説明図である。
【図３】カードの拡大した断面図である。
【符号の説明】
【００１４】
１    治具
１ａ  突出部
１ｂ  貫通丸孔
２  カード
３  粘着剤塗着透明フィルム
４ａ、４ｂ  離型紙
【図１】
2008246886.tif 000003
【図２】
2008246886.tif 000004
【図３】
2008246886.tif 000005